(57)【要約】【課題】横揺れが大きい地震が発生した場合等でも転倒し難く、所望の場所に容易に設置でき、構造が簡単で安価に構成でき、使い勝手が良好な物品収容スタンドを提供する。【解決手段】物品収容スタンドは敷板部１１、上部１２ｂと下部１２ａに分割可能なスタンドベース１２、上端に開口を有する基端部１３、下端が開口に嵌合する支柱部３、複数の収容部４を有する。基端部１３は下端がスタンドベース１２内に挿入され下部１２ａと敷板部１１に固定され、上端が上部１２ｂの頂部に穿設され縁部に緩衝部材が設けられた貫通孔から突出する。下部１２ａにおもりが充填されている。収容部４は支柱部３の上下方向の任意箇所に取り付け可能で、一対の挟持部材で支柱部３を挟持する挟持部、一対の挟持部材の一方に取り付けられた一端と他端とのなす角度が変更及び保持可能に構成された継手部、継手部の他端に取り外し可能に取り付けられた収容部材を有する。【選択図】図１
2018201744.tif 000002
【特許請求の範囲】
【請求項１】
敷板部と、上部と下部に分割可能で中空のスタンドベースと、上端に開口を有する筒状の基端部と、下端が前記開口に嵌合する支柱と、複数の収容部とを有し、
前記基端部は、下端が前記スタンドベース内部に挿入されて前記下部とともに前記敷板部に固定され、上端が前記上部の頂部に穿設され、縁部に緩衝部材が設けられた貫通孔から突出し、
前記下部にはおもりが充填され、
前記収容部は、前記支柱の上下方向の任意の箇所に取り付け可能であって、一対の挟持部材で前記支柱を挟持する挟持部と、前記一対の挟持部材の一方に取り付けられた一端と他端とのなす角度が変更及び保持可能に構成された継手部と、前記継手部の前記他端に取り外し可能に取り付けられた収容部材とを有する
ことを特徴とする物品収容スタンド。
【請求項２】
前記継手部の前記他端又は前記収容部材の一側面のいずれか一方に磁石が取り付けられ、他方に磁性を有する部材が取り付けられている
ことを特徴とする請求項１に記載の物品収容スタンド。
【請求項３】
前記支柱上端に水平に伸張する水平部が設けられ、前記水平部の両端近傍には、フックがそれぞれ取り付けられている
ことを特徴とする請求項１又は２に記載の物品収容スタンド。
【請求項４】
前記基端部上端近傍に前記基端部を軸として回転可能な回転板が取り付けられている
ことを特徴とする請求項１乃至３のいずれかに記載の物品収容スタンド。
【請求項５】
前記基端部上端近傍に前記回転板を下方より支持するとともに、前記収容部の前記把持部により把持可能な複数の被把持部を有する支持部が設けられている
ことを特徴とする請求項４に記載の物品収容スタンド。
【発明の詳細な説明】
【技術分野】
【０００１】
本発明は、支柱の周り上下に配置した複数の収容部に各種物品を収容する物品収容スタンドに関する。
【背景技術】
【０００２】
従来、柱の周り上下に配置した複数の収容部に各種物品を収容する物品収容スタンドとしては、例えば、以下に示すものがあった。第１の従来例は、スタンドベースに垂直に立設した支柱と、その支柱を軸に回転可能にするため支柱で挿し通した複数のブラケットと、開口部を有しその開口部の向きをブラケットに対して可変に嵌め合わせた小物容器とからなる小物陳列スタンドである。この小物陳列スタンドは、小物容器の一側面に正方形の張出し部を有する係合片を突出させ、ブラケットの周壁面の少なくとも一方向に張出し部をはめ込むことができるＴ溝を有する係合部が形成されている（例えば、特許文献１参照。）。
【０００３】
第２の従来例は、本発明者が先に考案した物品収容スタンドである。この物品収容スタンドは、敷板部と、スタンドベースと、支柱と、複数の収容部とを備えている。敷板部は少なくとも中央部が磁性を有している。スタンドベースは、中空であり、底部に板状のマグネットが取り付けられ、敷板部の中央部に載置されている。
【０００４】
支柱は、スタンドベースの頂部に穿設された貫通孔に緩衝部材を介して立設されている。複数の収容部は、支柱の上下方向の任意の箇所に取り付け可能であって、支柱を一対の挟持部材で支柱の軸方向に挟持する挟持部と、挟持部の一対の挟持部材を互いに回動自在とするための支柱の一端に取り付けられた一端と他端とのなす角度が変更及び保持可能に構成された継手部と、継手部の他端に取り外し可能に取り付けられた収容部材とを有している（例えば、特許文献２参照。）。
【先行技術文献】
【特許文献】
【０００５】
【特許文献１】登録実用新案第３１６１９０６号公報（請求項１、請求項２、図１〜図４）
【特許文献２】登録実用新案第３１８００４７号公報（請求項１、図１）
【発明の概要】
【発明が解決しようとする課題】
【０００６】
上記した第１の従来例では、小物容器に物品を出し入れする際に過って小物陳列スタンドを押したり、小物陳列スタンド近くを人が通過する際に過ってぶつかったりした場合、あるいは、地震が発生した場合に、小物陳列スタンドが転倒しやすい。また、第１の従来例では、小物容器の張出し部をブラケット周壁面の係合部にはめ込むことができるように構成されている。しかし、女性や子供のように手が小さい場合や小物容器の容量が大きい場合には、小物容器を片手で着脱できないので、使い勝手が良好でない。
【０００７】
一方、上記した第２の従来例は、中央部が磁性を有した敷板部と、スタンドベースの底部に取り付けられたマグネットとの間における磁力の働きにより、物品収容スタンドが転倒し難い構造を有している。しかし、上記磁力の吸着力を上回る大きさの力で人等がぶつかったり、横揺れが大きい地震が発生した場合には、物品収容スタンドが転倒するおそれがある。
【０００８】
以下、その理由を説明する。２つの物体が当接している面全域に均等に磁力が加わって結合している場合、その磁力に平行な力が加えられても２つの物体の結合は解かれにくい。上記した第２の従来例では、床上に置かれた敷板部からスタンドベースより上部を上側に引っ張って敷板部から剥がす場合、均等に加えられている磁力に乱れがないため、かなり大きな力が必要である。
【０００９】
これに対し、２つの物体が上記と同じ結合状態で磁力に平行でない力が加えられたならばその力が比較的弱くても２つの物体の結合は容易に解かれてしまう。上記した第２の従来例では、スタンドベースより上部を横倒しする場合には、敷板部からスタンドベースの底部の一部が浮き上がることにより、浮き上がった部分の磁力が弱くなるため、比較的小さな力で横倒しすることができる。つまり、上記した第２の従来例は、縦方向に力や揺れが加わった場合には転倒し難いが、横方向に力や揺れが加わった場合には転倒しやすいと思われる。
【００１０】
本発明は、上述した事情に鑑みてなされたものであり、上述のような問題を解決することを課題の一例とするものであり、これらの課題を解決することができる物品収容スタンドを提供することを目的とする。
【課題を解決するための手段】
【００１１】
上記課題を解決するために、請求項１に記載の発明に係る物品収容スタンドは、敷板部と、上部と下部に分割可能で中空のスタンドベースと、上端に開口を有する筒状の基端部と、下端が前記開口に嵌合する支柱と、複数の収容部とを有し、前記基端部は、下端が前記スタンドベース内部に挿入されて前記下部とともに前記敷板部に固定され、上端が前記上部の頂部に穿設され、縁部に緩衝部材が設けられた貫通孔から突出し、前記下部にはおもりが充填され、前記収容部は、前記支柱の上下方向の任意の箇所に取り付け可能であって、一対の挟持部材で前記支柱を挟持する挟持部と、前記一対の挟持部材の一方に取り付けられた一端と他端とのなす角度が変更及び保持可能に構成された継手部と、前記継手部の前記他端に取り外し可能に取り付けられた収容部材とを有することを特徴としている。
【００１２】
また、請求項２に記載の発明は、請求項１記載の物品収容スタンドに係り、前記継手部の前記他端又は前記収容部材の一側面のいずれか一方に磁石が取り付けられ、他方に磁性を有する部材が取り付けられていることを特徴としている。
【００１３】
また、請求項３に記載の発明は、請求項１又は２記載の物品収容スタンドに係り、前記支柱上端に水平に伸張する水平部が設けられ、前記水平部の両端近傍には、フックがそれぞれ取り付けられていることを特徴としている。
【００１４】
また、請求項４に記載の発明は、請求項１乃至３のいずれかに記載の物品収容スタンドに係り、前記基端部上端近傍に前記基端部を軸として回転可能な回転板が取り付けられていることを特徴としている。
【００１５】
また、請求項５に記載の発明は、請求項４記載の物品収容スタンドに係り、前記基端部上端近傍に前記回転板を下方より支持するとともに、前記収容部の前記把持部により把持可能な複数の被把持部を有する支持部が設けられていることを特徴としている。
【発明の効果】
【００１６】
本発明によれば、この物品収容スタンドは、人が過ってぶつかったり、横揺れが大きい地震が発生したりした場合でも、転倒し難い。また、この物品収容スタンドは、所望の場所、例えば、ベッドサイドなどに容易に設置することができる。また、この物品収容スタンドは、構造が簡単であるので、安価に構成することができる。さらに、この物品収容スタンドは、収容部を支柱上下方向の任意の位置に容易に設置することができるので、使い勝手が良好である。
【図面の簡単な説明】
【００１７】
【図１】本発明の実施の形態１に係る物品収容スタンドの構造を示す斜視図である。
【図２】図１に示す物品収容スタンドを構成するベース部の拡大斜視図である。
【図３】ベース部を構成する下部、基端部及び敷板部の固定状態を説明するための斜視図である。
【図４】ベース部を構成する基端部の構造を示す斜視図である。
【図５】基端部を構成する緩衝部の構造を示す斜視図である。
【図６】下部における差し込み口の取り付け状態を説明するための斜視図である。
【図７】テーブル部の一部である回転部の下面側を上向けた状態における構造を示す斜視図である。
【図８】テーブル部の一部である支持部の構造を示す斜視図である。
【図９】図８に示す支持部の下面側を上向けた状態における構造を示す斜視図である。
【図１０】テーブル部の一部である姿勢維持部材の構造を示す斜視図である。
【図１１】図１に示す物品収容スタンドを構成する収容部の構造を示す平面図である。
【図１２】図１１に示す収容部の一部である挟持部、継手部及び結合部の構造を示す正面図である。
【図１３】図１２の状態から結合部を９０度右回りに回転させた状態を示す正面図である。
【図１４】収容部の一部である収容部材の構造を示す右側面図である。
【図１５】本発明の実施の形態２に係る物品収容スタンドを構成する下部の底部の構造を示す斜視図である。
【図１６】本発明の実施の形態２に係る物品収容スタンドを構成する敷板部の構造を示す斜視図である。
【発明を実施するための形態】
【００１８】
以下、図面を参照して本発明を実施するための形態について説明する。
実施の形態１．
図１は、本発明の実施の形態１に係る物品収容スタンドの構造を示す斜視図である。本実施の形態１に係る物品収容スタンドは、ベース部１と、テーブル部２と、支柱部３と、収容部４とから概略構成されている。
【００１９】
図２は物品収容スタンドを構成するベース部１の拡大斜視図、図３はベース部１を構成する下部１２ａ、基端部１３及び敷板部１１の固定状態を説明するための斜視図である。ベース部１は、敷板部１１と、スタンドベース１２と、基端部１３とから概略構成されている。敷板部１１は、例えば、約３００ｍｍ×約３００ｍｍ×約１８ｍｍのほぼ正方形状を呈した板材からなる。
【００２０】
敷板部１１の素材としては、例えば、合板を含めた木、合成樹脂、合金を含めた金属のいずれでも良い。合成樹脂としては、熱硬化性樹脂、熱可塑性樹脂あるいは、強化繊維群に熱硬化性樹脂又は熱可塑性樹脂を含浸させる等したものが挙げられる。熱硬化性樹脂としては、例えば、フェノール樹脂、ポリエステル樹脂等を使用することができ、熱可塑性樹脂としては、例えば、ポリ塩化ビニル、ポリビニルエーテル等を使用することができる。強化繊維としては、例えば、炭素繊維、ガラス繊維、アラミド繊維、アルミナ繊維等を使用することができる。以下、各部材の素材の説明において、「合成樹脂」とは、以上説明したものを意味する。
【００２１】
一方、合金を含めた金属としては、例えば、鉄、銅、亜鉛、アルミニウム、チタン、クロム、ニッケル等又はこれらの合金（例えば、ステンレス、黄銅等）を使用することができる。以下、各部材の素材の説明において、「合金を含めた金属」とは、以上説明したものを意味する。
【００２２】
スタンドベース１２は、全体形状がほぼ球体形状を呈しているとともに、中空であり、下部１２ａと上部１２ｂとに分割可能である。下部１２ａ及び上部１２ｂは、例えば、直径約１９０ｍｍ、深さ約８０ｍｍのほぼボウル状を呈しており、周縁部に約５ｍｍのフランジ１２ａａ及び１２ｂａが形成されている。下部１２ａの底部は、敷板部１１上に安定して固定可能なようにフランジ１２ａａと平行な面を有している。フランジ１２ａａ及び１２ｂａには、重ね合わせて固定するために、対称な位置に、貫通孔１２ａｂ１〜１２ａｂ４及び１２ｂｂ１〜１２ｂｂ４が穿設されている。下部１２ａと上部１２ｂとは、貫通孔１２ａｂ１〜１２ａｂ４（図３参照）と、対応する貫通孔１２ｂｂ１〜１２ｂｂ４（図示略）とが一致するようにフランジ１２ａａとフランジ１２ｂａとが重ね合わされ、締結部材２１１〜２１４で固定されている。図２では、締結部材２１１及び２１２だけを示している。
【００２３】
下部１２ａ及び上部１２ｂの素材としては、例えば、合板を含めた木、上記した合成樹脂、上記した合金を含めた金属のいずれでも良い。締結部材２１１〜２１４は、ネジ、ナット、ワッシャなどからなる。
【００２４】
下部１２ａの中心部は、図３に示すように、基端部１３とともに、敷板部１１の上面中央に固定されている。すなわち、下部１２ａの底部中央のほぼ対称な位置３箇所の厚さ方向に貫通孔が穿設されているとともに、敷板部１１の上面中央であって、下部１２ａの３つの貫通孔に対応した位置厚さ方向に３つの貫通孔が穿設されている。
【００２５】
一方、基端部１３を構成する接合部３２のフランジ部３２ｂには、図４に示すように、下部１２ａの３つの貫通孔に対応した位置厚さ方向に３つの貫通孔３２ｂ１〜３２ｂ３が穿設されている。図４は、基端部１３の構造を示す斜視図である。図４では、貫通孔３２ｂ１及び３２ｂ２だけを示している。また、基端部１３を構成する緩衝部３３には、図５に示すように、下部１２ａの３つの貫通孔に対応した位置厚さ方向に３つの貫通孔３３ａ１〜３３ａ３が穿設されている。図５は、緩衝部３３の構造を示す斜視図である。
【００２６】
以上説明した各部材のそれぞれ対応する貫通孔３つが重なるように、敷板部１１、下部１２ａ、緩衝部３３及び基端部１３を順次配置した状態において、敷板部１１の第１の貫通孔及び下部１２ａの第１の貫通孔（何れも図示略）、緩衝部３３の貫通孔３３ａ１（図５参照）並びに、接合部３２のフランジ部３２ｂの貫通孔３２ｂ１（図４参照）に対して、敷板部１１の下面側から第１のネジ２２１の軸部２２ａ１が挿通され、接合部３２のフランジ部３２ｂ上面から突出したネジ２２１の軸部２２ａ１にワッシャ２３１が遊嵌された後、ナット２４１が螺合している。
【００２７】
また、敷板部１１の第２及び第３の貫通孔、下部１２ａの第２及び第３の貫通孔（何れも図示略）、緩衝部３３の貫通孔３３ａ２及び３３ａ３（図５参照）、接合部３２のフランジ部３２ｂの貫通孔３２ｂ２（図４参照）及び貫通孔３２ｂ３（図示略）並びに、留め具２６１及び２６２の貫通孔（何れも図示略）に対して、敷板部１１の下面側から第２及び第３のネジ２２２及び２２３の各軸部２２ａ２及び２２ａ３が挿通され、接合部３２のフランジ部３２ｂ上面から突出したネジ２２２及び２２３の各軸部２２ａ２及び２２ａ３にワッシャ２３２及び２３３がそれぞれ遊嵌された後、ナット２４２及び２４３が螺合している。
【００２８】
下部１２ａの中心部を除く大部分には、おもり２５が充填されている。おもり２５の素材としては、例えば、コンクリートや金属塊などの固体でも良いし、他の領域と隔離した密閉室を設けるとともに、下部１２ａ外側面に外部に連通する開口部を設け、この開口部から密閉室に砂等の粒体や水等の液体を注入しても良い。おもり２５が固体の場合や密閉室が下部１２ａと別体に構成されている場合には、図３に示すように、留め具２６１及び２６２並びにネジ２７１及び２７２を用いて下部１２ａに固定する。
【００２９】
下部１２ａの外側面には、図６に示すように、電源コード２８によりＡＣ１００Ｖの商用電源電圧が導入可能とされているとともに、差込プラグの差し込み口２９が取り付けられ、電源コード２８と差し込み口２９との間にはヒューズ３０が取り付けられている。下部１２ａ及び上部１２ｂが上記した合成樹脂からなる場合、各表面は、透明又は半透明のいずれでも良く、無色でも所定の一色又は複数の色の組合せで着色されていても良い。下部１２ａ及び上部１２ｂの表面は、また、無模様でも、一定の模様、例えば、亀甲模様が施されていても良い。
【００３０】
ここで、基端部１３について、図１、図２及び図４を参照して改めて説明する。基端部１３は、筒部３１と、接合部３２と、緩衝部３３とを備えている。筒部３１は、例えば、長さ約４５０ｍｍ、外径約２８ｍｍ、内径約２０ｍｍのほぼ円筒状を呈している。図２に示す筒部３１の頂部３１ａの開口３１ａａには、図１に示すように、支柱部３を構成する下部支柱７１の下部が嵌合されている。筒部３１の素材としては、例えば、上記した合金を含めた金属、上記した合成樹脂、あるいは竹などの天然素材でも良い。
【００３１】
接合部３２は、図４に示すように、立設部３２ａとフランジ部３２ｂとが一体に構成されている。立設部３２ａは、ほぼ円筒状を呈しており、内径は例えば、約２８ｍｍ、高さは、例えば、約３０ｍｍである。立設部３２ａの上部開口には筒部３１の下端が嵌合されている。フランジ部３２ｂは、ほぼリング状を呈しており、直径は例えば、約６０ｍｍである。
【００３２】
フランジ部３２ｂには、上記したように、下部１２ａの３つの貫通孔に対応した位置厚さ方向に３つの貫通孔３２ｂ１〜３２ｂ３が穿設されている。図４では、貫通孔３２ｂ１及び３２ｂ２だけを示している。接合部３２の素材としては、例えば、上記した合金を含めた金属、上記した合成樹脂でも良い。なお、筒部３１及び接合部３２は、同一素材として、一体に構成しても良い。
【００３３】
緩衝部３３は、図５に示すように、ほぼ円盤状を呈しており、直径はフランジ部３２ｂの直径にほぼ等しく、例えば、約６０ｍｍである。緩衝部３３の素材としては、振動を伝え難い素材、例えば、ゴム素材、フェルトなどの柔らかい繊維素材、エラストマ素材、シリコン系のゲル、ポリウレタン系樹脂やエポキシ系樹脂等をナイロン等不織布に含浸させたものなどがある。ゴム素材としては、例えば、シリコンゴム、ポリイソブチレンゴム、ポリイソプレンゴム、ポリクロロプレンゴム、スチレン−ブタジエンゴム、アクリロニトリル−ブタジエンゴム、イソブチレン−イソプレンゴムなど、天然のもの又は合成されたもの、発泡されたもの又は非発泡のものがある。以下、各部材の素材の説明において、「振動を伝え難い素材」とは、以上説明したものを意味する。
【００３４】
なお、緩衝部３３は、必ずしも上記材料に限定する必要はなく、支柱部３又は物品収容スタンド全体の揺れをある程度吸収し、物品収容スタンドの転倒を防止することが可能であるものであれば、素材や形状はどのようなものでも良い。また、接合部３２のうち、少なくともフランジ部３２ｂが振動を伝え難い素材で構成されている場合には、緩衝部３３は設けなくても良い。
【００３５】
スタンドベース１２の上部１２ｂの頂部１２ｂｂには、図２に示すように、基端部１３の筒部３１が挿入可能なように略円形の貫通孔１２ｂｃが穿設されている。貫通孔１２ｂｃの周縁又は下部の一方又は両方には、緩衝部材４１が取り付けられている。緩衝部材４１は、支柱部３又は物品収容スタンド全体の揺れをある程度吸収し、物品収容スタンドの転倒を防止するためのものである。緩衝部材４１の素材としては、上記した振動を伝え難い素材が好ましい。
【００３６】
貫通孔１２ｂｃの直径は、緩衝部材４１の外径よりわずかに「遊び」があった方が良い。何故なら、地震等の外力が物品収容スタンドに加えられた結果、スタンドベース１２の動きと、筒部３１及びそれに接続された上側部分の動きが異なった場合でも、貫通孔１２ｂｃ内で筒部３１がある程度ゆとりを持って動くので、物品収容スタンドの故障や転倒に対応することができる。ただし、「遊び」の部分から塵や小さな昆虫などがスタンドベース１２内に入り込まないように、「遊び」の部分を塞ぐために、例えば、緩衝部材４１上端にフランジを形成したり、別の充填部材を挿入したりしておく必要がある。
【００３７】
スタンドベース１２の上部１２ｂには、図２に示すように、照明部４２と、照明部４２を点灯させるためのスイッチ４３とが取り付けられている。照明部４２は、例えば、電球、蛍光灯、発光ダイオード等から構成されている。照明部４２は、この物品収容スタンドを夜間使用する際に自らの所在を示すために設けられている。照明部４２を点灯させるための直流電圧は、上部１２ｂ内に設けた乾電池等の蓄電池から供給しても良いし、電源コード２８により導入されるＡＣ１００Ｖの商用電源電圧を直流電圧に整流する回路（ＡＣアダプタ）から供給しても良い。
【００３８】
照明部４２は、スイッチ４３の投入により、常時点灯する、あるいは、規則的又は不規則的な点滅等を行うよう、予め定められていても良い。照明部４２の発光色は、白色、赤色、青色、緑色あるいは、マルチカラーが発光可能な場合は、これらの色の組合せのいずれでも良い。
【００３９】
次に、テーブル部２の構造について、図７〜図１０を参照して説明する。テーブル部２は、図７に示す回転部５１と、図８及び図９に示す支持部５２と、図１０に示す姿勢維持部６０とから構成されている。図７は回転部５１の下面側を上向けた斜視図、図８は支持部５２の斜視図である。また、図９は支持部５２の下面側を上向けた斜視図、図１０は姿勢維持部６０の構造を示す斜視図である。
【００４０】
回転部５１は、例えば、直径約３００ｍｍ、厚さ約１３ｍｍのほぼ円盤状を呈した回転板５３を有している。回転板５３の中心部には、内径約２０ｍｍの円孔５３ａが穿設されている。回転板５３の下面には、図７に示すように、円孔５３ａを中心とした対称な位置４箇所に、平面視ほぼ長方形状を呈し、長手方向が円孔５３ａの接線方向とほぼ平行をなす有底孔５３ｂ１〜５３ｂ４が穿設されている。
【００４１】
各有底孔５３ｂ１〜５３ｂ４の下面周辺には、回転機構５４１〜５４４が取り付けられている。回転機構５４１〜５４４は、軸体５５１〜５５４と、ローラ５６１〜５６４とから構成されている。軸体５５１〜５５４は、対応するローラ５６１〜５６４がそれぞれほぼ半分が対応する有底孔５３ｂ１〜５３ｂ４内に挿入された状態で遊嵌され、それぞれの先端が円孔５３ａの中心に向かうように回転板５３に取り付けられている。
【００４２】
有底孔５３ｂ１〜５３ｂ４は、ローラ５６１〜５６４が対応する軸体５５１〜５５４に回転可能に軸支されるように、長手方向が対応するローラ５６１〜５６４の直径よりわずかに長く、深さが対応するローラ５６１〜５６４の半径よりわずかに深くなるように穿設されている。
【００４３】
回転板５３の素材としては、例えば、合板を含めた木、合成樹脂、合金を含めた金属のいずれでも良い。軸体５５１〜５５４の素材としては、合金を含めた金属が好ましい。一方、ローラ５６１〜５６４の素材としては、例えば、合板を含めた木、合成樹脂、合金を含めた金属のいずれでも良いし、あるいは、中心部は合金を含めた金属とし周縁部は合板を含めた木、合成樹脂としても良い。
【００４４】
支持部５２は、図８及び図９に示すように、支持板５７と、被把持部５８１〜５８４と、支持機構５９とから構成されている。支持板５７は、例えば、約１５０ｍｍ×約１５０ｍｍ×約１２ｍｍのほぼ正方形状を呈しており、中心部に内径約２１ｍｍの円孔５７ａが穿設されている。円孔５７ａの内径は、支柱部３を構成する下部支柱７１の外径（例えば、約２０ｍｍ）よりわずかに大きく、筒部３１の外径（例えば、約２８ｍｍ）より小さいことが好ましい。何故なら、支持板５７は、円孔５７ａ周辺下面を図２に示す筒部３１の頂部３１ａに当接させて設けるからである。
【００４５】
支持板５７の下面四隅近傍には、被把持部５８１〜５８４がネジ止め又は接着のいずれかあるいは両方により取り付けられている。被把持部５８１〜５８４は、例えば、直径約２０ｍｍ、長さ約３５ｍｍのほぼ円柱形状を呈している。被把持部５８１〜５８４には、後述する収容部４が取り付けられる。支持板５７及び被把持部５８１〜５８４の素材としては、例えば、合板を含めた木、合成樹脂、合金を含めた金属のいずれでも良い。
【００４６】
支持機構５９は、支持金具６１１〜６１４と、環状部６２と、中間支持ワイヤ６３とから構成されている。支持金具６１１〜６１４は、同一形状、同一素材からなる。支持金具６１１〜６１４は、ほぼ長方形状を呈し、中央部に貫通孔が穿設された頂部６１ａと、この頂部６１ａに接続され、頂部６１ａの幅と同等又はそれ以下の幅を持って所定の角度で直線的に下方に伸張する骨部６１ｂとから構成されている。
【００４７】
支持機構５９は、支持金具６１１〜６１４の各頂部６１ａが対応する被把持部５８１〜５８４近傍であって、支持板５７の円孔５７ａ側の箇所に貫通孔に木ねじ等が挿入されて固定されることにより、各骨部６１ｂの下端が円孔５７ａの下方に集結している。集結している各骨部６１ｂの下端近傍は、環状部６２の対応する箇所に固定されている。また、支持金具６１１〜６１４の各頂部６１ａと各骨部６１ｂの下端とのほぼ中間には、中間支持ワイヤ６３が張り巡らされ、各骨部６１ｂとの当接箇所に固定されている。
【００４８】
各骨部６１ｂの下端近傍と環状部６２との固定方法は、例えば、各骨部６１ｂの下端近傍に貫通孔を穿設して環状部６２を貫通孔を挿通させた後に貫通孔周辺を半田付け又はろう付けしても良い。また、中間支持ワイヤ６３と各骨部６１ｂとの固定方法は、中間支持ワイヤ６３と各骨部６１ｂとの当接箇所を半田付け又はろう付けしても良い。
【００４９】
環状部６２の直径は、例えば、筒部３１の外径（例えば、約２８ｍｍ）よりわずかに大きいことが好ましい。環状部６２の筒部３１への固定は、例えば、金属ワイヤーを環状部６２と筒部３１に巻き付けて行う。したがって、支持部５２は、筒部３１の頂部３１ａと、環状部６２に近接する筒部３１外周の２箇所で支持されている。支持金具６１１〜６１４、環状部６２及び中間支持ワイヤ６３の素材としては、例えば、合金を含めた金属が好ましい。
【００５０】
姿勢維持部６０は、回転板５３の姿勢をほぼ水平に維持するためのものであり、図１０に示すように、本体部材６０ａと、固定部材６０ｂとから構成されている。本体部材６０ａは、全体形状がほぼ直方体形状を呈し、支柱部３を構成する下部支柱７１（後述）に遊嵌する貫通孔６０ａａが上面から下面へ向けてほぼ垂直に穿設されている。固定部材６０ｂは、軸部周囲に雄ねじが形成され、基端にツマミ６０ｂａが形成されている。本体部材６０ａの一側面には、本体部材６０ａの中心に向けてほぼ水平方向に貫通孔６０ａａまで到達する貫通孔（図示略）が穿設されている。固定部材６０ｂは、この図示せぬ貫通孔に嵌合されている。固定部材６０ｂの軸は、先端が貫通孔６０ａａに突出する長さを有している。
【００５１】
テーブル部２は、以下のようにしてベース部１に取り付ける。まず、ベース部１が図２に示す状態において、支持部５２を構成する支持機構５９の環状部６２を、ベース部１を構成する基端部１３の筒部３１に遊嵌させ、支持板５７の円孔５７ａの下面周縁を筒部３１の頂部３１ａに当接させる。
【００５２】
次に、後述する支柱部３を構成する下部支柱７１の下部を筒部３１に嵌合させた後、上面を上向きにした回転板５３の円孔５３ａを下部支柱７１に遊嵌させて下降させ、回転板５３を構成する回転機構５４１〜５４４を支持板５７上面に当接させる。そして、姿勢維持部６０を構成する本体部材６０ａの貫通孔６０ａａを下部支柱７１に遊嵌させて下降させ、回転板５３の上面に近接させた後、固定部材６０ｂのツマミ６０ｂａを回転させて軸の先端を下部支柱７１に圧接させる。これにより、回転板５３はほぼがたつきなく滑らかに回転する。
【００５３】
次に、支柱部３の構造について、図１を参照して説明する。支柱部３は、下部支柱７１と、接続部７２と、上部支柱７３とから構成されている。下部支柱７１は、例えば、外径約２０ｍｍ、長さ約９００ｍｍのほぼ円柱状を呈している。接続部７２は、例えば、外径約２６ｍｍ、内径約２０ｍｍ、長さ約２６０ｍｍのほぼ円筒状を呈している。上部支柱７３は、水平部７３ａの長さ約３００ｍｍ、垂直部７３ｂの長さ約７５０ｍｍのほぼＴ字状を呈している。このため、本実施の形態による物品収容スタンドは、全長、すなわち、ベース部１の敷板部１１から支柱部３の水平部７３ａまでの高さは、約２０００ｍｍである。
【００５４】
水平部７３ａは、中空であり、ほぼ中央で垂下し、下端にほぼ円形状を呈する開口部７３ａａを有している。開口部７３ａａは例えば、内径約１８ｍｍである。水平部７３ａの両端近傍には、フック７４がそれぞれ取り付けられている。フック７４は、同一素材同一形状であり、ほぼＵ字状を呈している。垂直部７３ｂは、例えば、外径約２０ｍｍ、長さ約７３０ｍｍのほぼ円柱状を呈しているが、頭頂部から長さ約２２ｍｍまでは外径約１８ｍｍに縮径されている。垂直部７３ｂの縮径部分が水平部７３ａの開口部７３ａａに嵌合している。下部支柱７１及び上部支柱７３の素材としては、例えば、合板を含めた木、合成樹脂、合金を含めた金属のいずれでも良い。一方、接続部７２の素材としては、例えば、合成樹脂、合金を含めた金属、あるいは竹筒のいずれでも良い。
【００５５】
次に、収容部４の構造について、図１１〜図１４を参照して説明する。図１１は収容部４の構造を示す平面図、図１２は収容部４の一部である挟持部８１、継手部８２及び結合部８３の構造を示す正面図である。また、図１３は図１２の状態から結合部８３を９０度右回りに回転させた状態を示す正面図、図１４は収容部４の一部である収容部材８４の構造を示す右側面図である。
【００５６】
収容部４は、挟持部８１と、継手部８２と、結合部８３と、収容部材８４とから構成されている。挟持部８１は、挟持部材８１ａと挟持部材８１ｂが連結軸８１ｃにより相対回動自在に連結されているとともに、連結軸８１ｃに中心部が遊嵌された図示せぬバネにより挟持部材８１ａ及び８１ｂの各先端側を互いに近づける方向に付勢されて構成されている。
【００５７】
挟持部材８１ａ及び８１ｂは、前端に顎部８１ａａ及び８１ｂａを、後端側に湾曲する握り部８１ａｂ及び８１ｂｂをそれぞれ有している。挟持部材８１ａと挟持部材８１ｂは、互いに当接した顎部８１ａａ及び８１ｂａの先端と連結軸８１ｃの中心とを結ぶ直線を対象軸にしてほぼ左右対称に形成されている。
【００５８】
挟持部８１の挟持力は、収容部材８４に物品を収容した状態で収容部４を被把持部５８１〜５８４のいずれかや、下部支柱７１、接続部７２又は上部支柱７３のうち、使用者の所望の位置に保持させるだけの大きさであることが好ましい。顎部８１ａａ及び８１ｂａの内側と被把持部５８１〜５８４等との接触面積を拡大するために、顎部８１ａａ及び８１ｂａの内側に可撓性のある部材を取り付けたり、顎部８１ａａ及び８１ｂａの内側形状を被把持部５８１〜５８４等の外周形状に近似させたり、これらの技術を併用したりしても良い。
【００５９】
挟持部材８１ｂの握り部８１ｂｂ内側には、継手部８２の一端が取り付けられている。継手部８２は、握り部８１ｂｂ内側に取り付けられた長手方向にそれぞれ直交する２方向をそれぞれ回転軸としてほぼ１８０度回動自在に構成されている。継手部８２の他端には、結合部８３が取り付けられている。
【００６０】
結合部８３は、収容部材８４の側面とほぼ同じ面積を有する平板部８３ａと、平板部８３ａの下端に接続され、収容部材８４の底部一部を支持する底板部８３ｂとを有している。平板部８３ａの上端近傍の両面同位置には、一面に継手部８２の他端が、他面に固着部材８３ｃが同一の固定部材８３ｄ（例えば、木ネジ）で取り付けられている。
【００６１】
収容部材８４は、下部が有底で上部が開口したほぼ角筒形状を呈している。収容部材８４の１つの側面外側には、上端近傍に磁石８５が取り付けられている。磁石８５は、ほぼ直方体形状を呈しており、その正面の寸法は固着部材８３ｃの正面の寸法にほぼ等しい。固着部材８３ｃの素材としては、例えば、鉄等の磁性を有する金属、磁性材料を混入した合成樹脂などがある。
【００６２】
収容部材８４の大きさ、重量、形状及び素材については、結合部８３に取り付け可能であれば、物品収容スタンド全体の重量や形状等のバランス、挟持部８１の挟持力、内部に収容する物品に対する収容性（例えば、耐久性、物品の内部での収まり具合等）などに影響を与えないものであれば、どのようなものでも良い。また、収容部材８４の大きさ、重量、形状に合わせて結合部８３の大きさ、重量、形状を変更しても良い。
【００６３】
次に、上記構成の物品収容スタンドの使用方法について説明する。まず、利用者は、例えば、この物品収容スタンドを自身のベッドの枕側近傍床上に置く。次に、利用者は、収容する物品の種類や数、各物品の使用頻度、ベッドの高さ、自身の体格等に応じて、収容部４を取り付ける。図１は、テーブル部２の支持部５２に３個の収容部４が取り付けられているとともに、支柱部３の各所に４個の収容部４が取り付けられている例を示している。
【００６４】
次に、利用者は、電源コード２８のプラグを商用電源電圧ＡＣ１００Ｖの壁コンセントに挿入する。次に、利用者は、スイッチ４３を投入する。これにより、照明部４２は、常時点灯、あるいは、規則的又は不規則的な点滅等を行う。
【００６５】
利用者は、各収容部４の収容部材８４に所望の物品を収容する。例えば、数回分の薬剤、当該薬剤を服用するための水が入った容器、テレビ等のＡＶ機器、エアコン、照明器具等の各種リモコン、眼鏡又は眼鏡用ケース、懐中電灯、携帯電話やスマートフォン等の電子機器、腕時計、携帯用音楽再生機器、各種鍵、爪切り、はさみ、筆記用具、書籍、ティッシュなどである。
【００６６】
また、フック７４には、例えば、読書などのための照明器具、夏季であれば釣り下げタイプの蚊取り器や小型扇風機、利用者が病人であれば点滴パックなどを釣り下げる。このように、物品収容スタンドをベッドの枕側近傍床上に置き、各収容部４の収容部材８４に所望の物品を収容しておけば、便利である。例えば、就寝前に、利用者がテレビ等を視聴をしており、今就寝することを考える。この場合、利用者は、まず、収容部４の収容部材８４からテレビ用のリモコンを取り出し、当該リモコンでテレビの電源を切った後、当該リモコンを収容部４の収容部材８４に戻す。次に、利用者は、収容部４の収容部材８４から照明用のリモコンを取り出し、当該リモコンで部屋の照明の電源を切った後、当該リモコンを収容部４の収容部材８４に戻す。
【００６７】
また、利用者は、就寝途中で目覚めた場合、照明部４２が点灯又は点滅等をしているので、ベッド下の位置や物品収容スタンドの位置等を確認することができ、物品収容スタンドに衝突等することなく、用を足すことができる。
【００６８】
次に、物品収容スタンドの使用時に地震が発生した場合について説明する。建物が地震で揺れると、その振動は床面からまず物品収容スタンドの敷板部１１に伝えられる。敷板部１１に伝えられた振動は、スタンドベース１２、基端部１３及びテーブル部２を経て支柱部３に順次伝播される。しかし、敷板部１１、下部１２ａ、緩衝部３３及び接合部３２は、順次配置された状態において、第１〜第３のネジ２２１〜２２３、ワッシャ２３１〜２３３及びナット２４１〜２４３により固定されている。さらに、上部１２ｂの頂部１２ｂｂの貫通孔１２ｂｃの周縁又は下部の一方又は両方には、緩衝部材４１が取り付けられている。
【００６９】
したがって、緩衝部３３及び緩衝部材４１の働きにより、支柱部３又は物品収容スタンド全体の揺れがある程度吸収されるので、物品収容スタンドは転倒し難い。なお、接合部３２が伝え難い素材で作製されていれば、接合部３２も緩衝部３３及び緩衝部材４１と同様の働きをする。このように、本実施の形態１による物品収容スタンドは、全長が約２０００ｍｍであるにも関わらず、転倒し難い。以上説明した動作は、物品収容スタンドに利用者その他の者が誤ってぶつかった場合も同様である。
【００７０】
以上説明した本実施の形態１によれば、第１の従来例のように、小物容器に物品を出し入れする際に過って小物陳列スタンドを押したり、小物陳列スタンド近くを人が通過する際に過ってぶつかったりした場合、あるいは、地震が発生した場合でも、物品収容スタンドは転倒し難い。また、第２の従来例のような、敷板部とスタンドベースとが磁力の働きで転倒し難い構造にはしていないので、横揺れの地震が発生した場合でも、物品収容スタンドは転倒し難い。
【００７１】
また、本実施の形態１によれば、収容部材８４は結合部８３に磁力の働きにより固定されているので、女性や子供のように手が小さい場合や小物容器の容量が大きい場合でも、収容部材８４を片手で容易に着脱することができるので、第１の従来例に比べて使い勝手が良好である。
【００７２】
これは、「発明が解決しようとする課題」で説明したように、２つの物体が当接している面全域に均等に磁力が加わって結合している場合、その磁力に平行な力が加えられても２つの物体の結合は解かれにくいが、２つの物体が上記と同じ結合状態で磁力に平行でない力が加えられたならばその力が比較的弱くても２つの物体の結合は容易に解かれてしまうからである。収容部材８４と結合部８３との結合状態でいえば、収容部材８４を平板部８３ａとの結合面に平行に引っ張った場合には磁石８５の磁力が強いので簡単にははずれないが、左右どちらかに捻れば、捻った反対側磁石８５の磁力が弱くなるので、簡単にはずすことができるのである。
【００７３】
さらに、本実施の形態１によれば、フック７４には、例えば、読書などのための照明器具、夏季であれば釣り下げタイプの蚊取り器や小型扇風機、利用者が病人であれば点滴パックなどを釣り下げることができるので、第１及び第２の従来例に比べて使い勝手が良好である。例えば、震災が発生し、怪我人や病人を小学校の体育館等の避難所に収容した場合、点滴スタンドの数が不足して点滴を受けることができないおそれがある。しかし、そのような場合でも、本実施の形態１による物品収容スタンドを避難所に予め用意しておく、又は、各時自宅から持参すれば、避難所でも病人又は怪我人が点滴を受けることができる。なお、下部１２ａのおもり２５として他の領域と隔離した密閉室を設けるとともに、下部１２ａ外側面に外部に連通する開口部を設け、開口部から密閉室に水を封入した場合には、緊急時にその水を手洗いなど利用することができる。
【００７４】
この点、第１の従来例でも、先端プラグを取り外せば上部支柱７３と同様なものを取り付けられる可能性はある。しかし、第１の従来例は、上記のように、現構造のものでも本実施の形態１に比べて転倒しやすいのに、上部支柱７３と同様なものを取り付ければさらに転倒しやすくなり、実質的にはほとんど使用に耐えないと思われる。一方、第２の従来例では、支柱を構成する小径筒状体の頂部に照明部が取り付けられ、この照明部に電力を供給する配線が支柱内を通過してスタンドベース内部に到達している。したがって、小径筒状体の頂部に上部支柱７３と同様なものを取り付けることはできない。
【００７５】
以上説明したように、本発明の実施の形態１による物品収容スタンドは、上記第１及び第の従来例並びにこれらを寄せ集めた構成からは容易に想到できない図１〜図１４に示す構成を有している。したがって、本発明の実施の形態１による物品収容スタンドは、上記寄せ集めの構成からは得られない既述の効果が得られる。
【００７６】
実施の形態２．
上述の実施の形態１では、物品収容スタンドを構成する下部１２ａを直接敷板部１１の上面に固定する例を示したが、これに限定されない。例えば、図１５に示すように、下部１２ａの底部１２ａｃ中央にほぼ円盤状の緩衝部材９１を取り付けるとともに、図１６に示すように、敷板部１１の上面ほぼ中央に緩衝部材９１が嵌合可能な有底孔９２を形成しても良い。緩衝部材９１の素材としては、上記した振動を伝え難い素材が好ましい。
【００７７】
このように構成すれば、緩衝部３３及び緩衝部材４１、さらには接合部３２の働きに加えて、緩衝部材９１の働きにより、支柱部３又は物品収容スタンド全体の揺れがある程度吸収されるので、本実施の形態２による物品収容スタンドは、本実施の形態１と比べてより一層転倒し難い。
【００７８】
実施の形態３．
上述の実施の形態１では、物品収容スタンドの最下端に位置する敷板部１１の下面を直接床上に置く例を示したが、これに限定されない。一戸建て、数階建ての集合住宅、あるいは高層ビルの低層階で物品収容スタンドを使用する際に置く場所を頻繁に変える場合には、例えば、敷板部１１の下面四隅近傍にキャスターを取り付けても良い。
【００７９】
以下、その理由を説明する。地震が発生すると様々な周期を持つ揺れ（地震動）が生じるが、地震の規模が大きいと周期の長いゆっくりとした大きな揺れ（長周期地震動）が生じる。建物には固有の揺れやすい周期（固有周期）があり、高層ビルは、低い建物に比べると固有周期が長い。そして、地震の周期と建物の固有周期が一致すると共振して建物が大きく揺れる。したがって、高層ビルは、規模の大きな地震が起きると長周期地震動と共振しやすく、共振すると長時間にわたり大きく揺れ、屋内では１ｍ〜数ｍを往復するような揺れが数分にわたり発生する。一般に、高層階の方が低層階より大きく揺れる傾向がある。
【００８０】
このため、物品収容スタンドを高層階で使用する際にキャスターが取り付けられていると、室内を動き回ることにより利用者が怪我を負う危険がある。しかし、一戸建て、数階建ての集合住宅、あるいは高層ビルの低層階で物品収容スタンドを使用する際には、建物の固有周期が短いため、高層階での使用と比べて物品収容スタンドが室内を動き回る可能性が少ないので、利便性を重視して、敷板部１１の下面四隅近傍にキャスターを取り付けても良い。
【００８１】
実施の形態４．
上述の実施の形態１では、フック７４に照明器具、蚊取り器、あるいは、点滴パックなどを釣り下げる例を示したが、これに限定されない。例えば、経口で水分補給するために、以下の装置をフック７４から釣り下げるようにしても良い。まず、ミネラルウォーター等が入ったペットボトル等の容器胴部に紐などを巻き付けてフック７４から釣り下げる。この容器のふたに貫通孔を穿設し、ベッド等の枕元まで届く長さのホースを取り付けるとともに、ホース開口近傍に開閉弁を設ける。このように構成すれば、吸い飲みのように他人の手を煩わせることなく、所望の時間に所望の量だけ利用者自ら経口で水分を補給することができる。
【００８２】
実施の形態５．
上述の実施の形態１では、結合部８３の平板部８３ａに固着部材８３ｃを取り付けるとともに、収容部材８４の一側面外側に磁石８５を取り付ける例を示したが、これに限定されない。例えば、結合部８３の平板部８３ａに磁石を取り付けるとともに、収容部材８４の一側面外側に固着部材８３ｃと同様の素材の固着部材を取り付けても良い。このように構成すれば、上記実施の形態１と同様の特有の効果が得られる。
【００８３】
実施の形態６．
上述の実施の形態１では、下部１２ａ及び上部１２ｂのそれぞれ周縁部にフランジ１２ａａ及び１２ｂａを形成し、フランジ１２ａａとフランジ１２ｂａとを重ね合わせて締結部材２１１〜２１４で固定する例を示したが、これに限定されない。例えば、フランジ１２ａａ及び１２ｂａに変えて、下部１２ａ又は上部１２ｂのいずれか一方の開口近傍外周に雌ねじを形成するとともに、他方の開口近傍外周に上記雌ねじに螺合する雄ねじを形成しても良い。
【００８４】
また、下部１２ａ又は上部１２ｂのいずれか一方の開口近傍外周に所定間隔で複数の係止孔又は係止凹部を形成するとともに、他方の開口近傍外周に所定間隔で上記係止孔又は係止凹部に係止する複数の係止爪を形成しても良い。このように構成すれば、上記実施の形態１と同様の特有の効果が得られる他、部品点数が減少するので、上記実施の形態１よりも安価に物品収容スタンドを構成することができる。
【００８５】
以上、本発明の実施の形態について図面を参照して詳述してきたが、具体的な構成はこの実施の形態に限られるものではなく、本発明の要旨を逸脱しない範囲の設計の変更等があっても本発明に含まれる。
【００８６】
例えば、上述の実施の形態１では、下部１２ａの中心部を基端部１３とともに敷板部１１の上面中央に固定する際に、敷板部１１の下面側から第１〜第３のネジ２２１〜２２３の各軸部２２ａ１〜２２ａ３を挿通し、接合部３２のフランジ部３２ｂ上面から突出した第１〜第３のネジ２２１〜２２３の各軸部２２ａ１〜２２ａ３にワッシャ２３１〜２３３を遊嵌した後、ナット２４１〜２４３を螺合する例を示したが、これに限定されない。
【００８７】
例えば、接合部３２のフランジ部３２ｂ上面側から第１〜第３のネジ２２１〜２２３の各軸部２２ａ１〜２２ａ３を挿通し、敷板部１１の下面側から突出した第１〜第３のネジ２２１〜２２３の各軸部２２ａ１〜２２ａ３にワッシャ２３１〜２３３を遊嵌した後、ナット２４１〜２４３を螺合するようにしても良い。ただし、この場合、第１〜第３のネジ２２１〜２２３の各軸部２２ａ１〜２２ａ３は、敷板部１１の下面から突出しない長さとするとともに、ワッシャ２３１〜２３３及びナット２４１〜２４３が敷板部１１内に収納されるように、敷板部１１の第１〜第３の貫通孔の敷板部１１下面周辺を加工する必要がある。さらに、下部１２ａ、基端部１３及び敷板部１１の固定方法は、上記した第１〜第３のネジ２２１〜２２３、ワッシャ２３１〜２３３及びナット２４１〜２４３を使用する方法に限定されない。
【００８８】
また、上述の実施の形態１では、電源が投入されている間は、照明部４２を常時点灯又は点滅等させる例を示したが、これに限定されず、予め開始時間及び終了時間を設定しておき、その時間だけ、照明部４２を常時点灯又は点滅等させるように構成しても良い。
【００８９】
また、上述の実施の形態１では、照明部４２だけを点灯又は点滅等させる例を示したが、これに限定されず、収容部材８４に発光ダイオード等の照明部材を取り付けておき、当該照明部材も点灯又は点滅等するように構成しても良い。この場合、収容部材８４ごとに、照明部材の点灯又は点滅等の仕方や、発光色を異ならせても良い。
【００９０】
このように構成すれば、利用者は、収容部材８４ごとの照明部材の点灯又は点滅等の仕方や発光色と、収容されている物品との対応関係を覚えておけば、部屋の照明を点灯しなくても、どの収容部材８４にどの物品が収容されているかを認識することができる。
【００９１】
また、上述の実施の形態１では、金属ワイヤーを環状部６２と筒部３１に巻き付けることにより環状部６２を筒部３１へ固定する例を示したが、これに限定されない。例えば、環状部６２が到達する筒部３１外周に環状部６２が当接するフランジを筒部３１と一体又は別体に設けても良い。これにより、支持部５２は、筒部３１の頂部３１ａと、環状部６２が当接する筒部３１外周のフランジの２箇所で支持される。
【００９２】
また、上述の実施の形態１では、収容部材８４と当該収容部材に収容する物品とを特に対応させない例を示したが、これに限定されず、収容部材８４と当該収容部材に収容する物品とを対応させるように構成しても良い。例えば、収容部材８４の表面に、収容する物品の名称を示す点字やマークを刻印したり、収容部材８４の形状自体を収容する物品ごとに異ならせても良い。さらに、収容部材８４の表面を触れることにより、収容する物品の名称を音声で知らせるように構成しても良い。このように構成すれば、利用者は、収容部材８４と収容されている物品との対応関係を覚えておけば、部屋の照明を点灯しなくても、又は視覚に障害があっても、どの収容部材にどの物品が収容されているかを認識することができる。
【００９３】
また、上述の実施の形態１では、収容部材８４の形状はいずれも有底であることを前提としているが、これに限定されず、収容する物品が、例えば、懐中電灯のように、大径部と小径部とが連続して構成されている形状を有するものの場合には、収容部材８４は、内径が物品の大径部より小さく、底部が開口した形状を有するものでも良い。
【００９４】
また、上述の実施の形態１では、図１１に示すように、挟持部材８１ｂの握り部８１ｂｂ内側に継手部８２の一端を取り付ける例を示したが、これに限定されない。例えば、継手部８２の一端は、挟持部材８１ａの握り部８１ａｂ内側、挟持部材８１ｂの顎部８１ｂａ外側、挟持部材８１ａの顎部８１ａａ外側のいずれに取り付けても良い。
【００９５】
また、上述の実施の形態１では、スタンドベース１２の内部にヒューズ３０のみが内蔵されている例を示したが、これに限定されず、ＡＣアダプター、バッテリ、あるいは、緊急地震速報を受信可能な受信機を内蔵しても良い。また、上述の実施の形態１では、スタンドベース１２は、ほぼ球形状を呈している例を示したが、これに限定されず、ほぼ矩形体形状、ほぼ接頭円錐体形状、ほぼ接頭角錐体形状などの形状を呈していても良い。
【００９６】
また、上述の実施の形態１では、被把持部５８１〜５８４、下部支柱７１及び上部支柱７３の垂直部７３ｂがほぼ円柱状を呈しているとともに、筒部３１及び接続部７２がほぼ円筒状を呈している例を示したが、これに限定されない。例えば、被把持部５８１〜５８４、下部支柱７１及び上部支柱７３の垂直部７３ｂがほぼ角柱状を呈しているとともに、筒部３１及び接続部７２がほぼ角筒状を呈していても良い。
【００９７】
また、上述の実施の形態１では、支柱部３は、下部支柱７１と、接続部７２と、上部支柱７３とから構成されている例を示したが、これに限定されない。支柱部３は、例えば、上部支柱７３だけで構成しても良い。
【００９８】
また、上述の実施の形態１では、各部材の寸法及び素材について具体的に示したが、これらの寸法及び素材はあくまで一例であり、これらに限定されないことは言うまでもない。また、上述の各実施の形態は、その目的及び構成等に特に矛盾や問題がない限り、互いの技術を流用することができる。
【符号の説明】
【００９９】
１…ベース部、２…テーブル部、３…支柱部、４…収容部、１１…敷板部、１２…スタンドベース、１２ａ…下部、１２ａａ，１２ｂａ…フランジ、１２ａｂ１〜１２ａｂ４，１２ｂｂ１〜１２ｂｂ４…貫通孔、１２ａｃ…底部、１２ｂ…上部、１２ｂｂ…頂部、１２ｂｃ…貫通孔、１３…基端部、２１１〜２１４…締結部材、２２１…第１のネジ、２２２…第２のネジ、２２３…第３のネジ、２２ａ１〜２２ａ３…軸部、２３１〜２３３…ワッシャ、２４１〜２４３…ナット、２５…おもり、２６１，２６２…留め具、２７１，２７２…ネジ、２８…電源コード、２９…差し込み口、３０…ヒューズ、３１…筒部、３１ａ…頂部、３１ａａ…開口、３２…接合部、３２ａ…立設部、３２ｂ…フランジ部、３２ｂ１〜３２ｂ３…貫通孔、３３…緩衝部、３３ａ１〜３３ａ３…貫通孔、４１…緩衝部材、４２…照明部、４３…スイッチ、５１…回転部、５２…支持部、５３…回転板、５３ａ…円孔、５３ｂ１〜５３ｂ４…有底孔、５４１〜５４４…回転機構、５５１〜５５４…軸体、５６１〜５６４…ローラ、５７…支持板、５７ａ…円孔、５８１〜５８４…被把持部、５９…支持機構、６０…姿勢維持部、６０ａ…本体部材、６０ａａ…貫通孔、６０ｂ…固定部材、６０ｂａ…ツマミ、６１１〜６１４…支持金具、６１ａ…頂部、６１ｂ…骨部、６２…環状部、６３…中間支持ワイヤ、７１…下部支柱、７２…接続部、７３…上部支柱、７３ａ…水平部、７３ａａ…開口部、７３ｂ…垂直部、７４…フック、８１…挟持部、８１ａ，８１ｂ…挟持部材、８１ａａ，８１ｂａ…顎部、８１ａｂ，８１ｂｂ…握り部、８１ｃ…連結軸、８２…継手部、８３…結合部、８３ａ…平板部、８３ｂ…底板部、８３ｃ…固着部材、８３ｄ…固定部材、８４…収容部材、８５…磁石、９１…緩衝部材、９２…有底孔
【図１】
2018201744.tif 000003
【図２】
2018201744.tif 000004
【図３】
2018201744.tif 000005
【図４】
2018201744.tif 000006
【図５】
2018201744.tif 000007
【図６】
2018201744.tif 000008
【図７】
2018201744.tif 000009
【図８】
2018201744.tif 000010
【図９】
2018201744.tif 000011
【図１０】
2018201744.tif 000012
【図１１】
2018201744.tif 000013
【図１２】
2018201744.tif 000014
【図１３】
2018201744.tif 000015
【図１４】
2018201744.tif 000016
【図１５】
2018201744.tif 000017
【図１６】
2018201744.tif 000018